(57)【特許請求の範囲】
【請求項１】
机等の天板を上下に挟み込む上挟み部及び下挟み部を具備してなり、これら上挟み部及び下挟み部によって天板を上下に挟み込んだ状態で天板とディスプレイとの間に介在して、天板にディスプレイを取り付けるものであって、上挟み部を下挟み部との間で相対的にネジ作用で上下方向に駆動するための操作部を天板よりも上方位置に形成しているとともに、天板の裏面に下方から接し得る補助挟み部材を前記下挟み部に着脱可能に取り付けていることを特徴とするディスプレイ用クランプ。
【請求項２】
前記天板よりも上方に位置付けられる上壁及び天板よりも下方に位置付けられる略水平な下壁を有するブラケットと、前記上壁を足場にして上下方向にネジ送りされる支柱と、上壁に取り付けた支柱の下端部に略水平な姿勢で固定される押さえ板とを具備し、前記下壁を下挟み部として機能させるとともに、押さえ板を上挟み部として機能させるようにしていることを特徴とする請求項１記載のディスプレイ用クランプ。
【請求項３】
前記押さえ板を、支柱に対して回転可能に固定していることを特徴とする請求項２記載のディスプレイ用クランプ。
【請求項４】
操作部を、前記支柱に形成していることを特徴とする請求項２又は３記載のディスプレイ用クランプ。
【請求項５】
ディスプレイを移動可能に保持するアーム装置を介して、該ディスプレイを支持していることを特徴とする請求項１、２、３又は４記載のディスプレイ用クランプ。
【請求項６】
机等の天板を上下に挟み込む上挟み部及び下挟み部を具備してなり、これら上挟み部及び下挟み部によって天板を上下に挟み込んだ状態で天板とディスプレイとの間に介在して、天板にディスプレイを取り付けるものであって、前記上挟み部を下挟み部との間で相対的に上下方向に駆動するための操作部を天板よりも上方位置に形成しているとともに、天板の裏面に下方から接し得る補助挟み部材を前記下挟み部に着脱可能に取り付けていることを特徴とするディスプレイ用クランプ。
【発明の詳細な説明】
【０００１】
【発明の属する技術分野】
本発明は、コンピュータ等のディスプレイを天板上に好適に保持し得るクランプに関するものである。
【０００２】
【従来の技術】
近時、液晶技術等の発展により、従来より使用されてきたコンピュータ用ＣＲＴディスプレイに替わって、薄型の液晶ディスプレイ等が急速に普及しつつある。このようなディスプレイを机の天板上で使用する場合、天板の使用面をできるだけ広く使えるようにするために、ディスプレイを天板上に載せるのではなく、天板の縁部に取り付けたクランプによってディスプレイを保持することが考えられてきている。
【０００３】
このようなクランプにあっては、側面視コ字形をなすブラケットと、上端部に押さえ板を取り付け下端部に水平回転可能な棒状のハンドルを取り付けてブラケットの略水平な下壁を貫通するネジ軸とを備え、ハンドルの水平回転操作に伴って下壁に設けたナットやネジ穴にネジ軸を上下にネジ送りさせることによって、天板を上下方向からブラケットの上壁と押さえ板とで挟み込んでブラケットを天板に固定するようにしたものが通例である。
【０００４】
【発明が解決しようとする課題】
ところが、このような構成のクランプでは、机の形状によっては取り付けにくいか若しくは実質的に取り付けられないことがある。例えば、天板の縁部（特に側縁部や後縁部）においてその水平な下向面が露出するいわゆるオーバーハングが小さい場合、クランプのハンドルを水平に回転操作しようとしても天板を支持する脚部や幕板等と干渉して操作しづらいという不具合がある。また、天板の後縁部や側縁部に起立状態でデスクトップパネルを取り付けた場合は、そのデスクトップパネルとクランプとが干渉することからクランプを取り付けられないため、例えば天板の後縁部に沿う位置に厚み方向に貫通するように設けられた配線用の開口部にクランプを取り付けようとすると、ハンドル操作のために天板の下に潜り込んで作業をしなければならないという不具合が生じる。またいずれの場合にせよ、天板よりも下方でハンドルを操作するためには、いちいち天板の下方空間に潜り込んだり屈んだりする必要があることから、作業が面倒である。
【０００５】
そこで本発明は、以上のような問題を解消するために、天板よりも上方からクランプを締め込むための操作することで取り付けることができ、取付作業効率を向上したディスプレイ用のクランプを提供するものである。
【０００６】
【課題を解決するための手段】
すなわち、本発明のディスプレイ用クランプは、机等の天板を上下に挟み込む上挟み部及び下挟み部を具備してなり、これら上挟み部及び下挟み部によって天板を上下に挟み込んだ状態で天板とディスプレイとの間に介在して、天板にディスプレイを取り付けるものであって、前記上挟み部を下挟み部との間で相対的にネジ作用で上下方向に駆動するための操作部を天板よりも上方位置に形成しているとともに、天板の裏面に下方から接し得る補助挟み部材を前記下挟み部に着脱可能に取り付けていることを特徴としている。
【０００７】
このような構成のものであれば、ディスプレイ用クランプを天板に取り付けるに際して、天板の下方空間に潜り込んだり屈んだりせずとも、天板よりも上方において操作部を上挟み部と下挟み部とで天板を締め込むように操作すればよいので、クランプの取付作業が極めて簡便となる。特に、天板よりも上方でクランプの取付操作ができることによって、天板の縁部におけるオーバーハングが小さい場合に脚部や幕板が障害となってハンドルを操作しづらかった従来の不具合を有効に解消することができる。
【０００８】
具体的に、上挟み部をネジ作用により駆動し得る望ましい構成としては、ディスプレイ用クランプを、天板よりも上方に位置付けられる上壁及び天板よりも下方に位置付けられる略水平な下壁を有するブラケットと、上壁を足場にして上下方向にネジ送りされる支柱と、上壁に取り付けた支柱の下端部に略水平な姿勢で固定される押さえ板とを具備してなるものとして、前記下壁を下挟み部として機能させるとともに、押さえ板を上挟み部として機能させるようにしたものが挙げられる。
【０００９】
また、重量物であるディスプレイを支持するクランプには、大きな偏荷重が作用しやすいため、その偏荷重に十分に耐え得るようにするためには、前記押さえ板を十分大きいものとして天板との接触面積を大きくしておく必要がある。ところが、このように大きい押さえ板が操作部の操作により支柱と共に回転してしまうと天板に対してクランプを強固に固定するためには不必要に大きな操作力を操作部に入力しなければならない。そこで、前記ブラケットの上壁を足場にして支柱をネジ送りする際に、その支柱と共に押さえ板が回転するのを有効に防止するには、押さえ板を支柱に対して回転可能に固定して、押さえ板は支柱に対して空転するようにすることが望ましい。
【００１０】
また、操作部に入力された操作力を効率よく押さえ板の上下動作に変換でき、操作性も優れたものとするためには、前記支柱に操作部を形成することが好ましい。
【００１１】
さらに、ディスプレイの使用に際しては、その位置や向きが変更されることが多いことから、そのような場合に容易に対応できるようにするには、以上のようなディスプレイ用クランプが、ディスプレイを移動可能に保持するアーム装置を介してディスプレイを支持するようにすればよい。
【００１２】
さらにまた、本発明には、上挟み部の駆動に際して上述のようにネジ作用を利用する態様のものに限らず、種々の態様のものを適用したものが含まれる。
【００１３】
【発明の実施の形態】
以下、本発明の一実施形態を、図面を参照して説明する。
【００１４】
この実施形態は、図１に示すように、机Ｔの天板上にディスプレイＤを配置するために、天板に取り付けてディスプレイＤを支持するようにしたディスプレイ用クランプ（以下、「クランプ」と略する）Ｃである。ディスプレイＤは、いわゆる薄型の液晶ディスプレイであって、アーム装置５を介してクランプＣに支持されている。
【００１５】
まず机Ｔは、天板６、脚要素７、背板８等を具備してなるもので、背板８の内部には床や壁から引き込んだ図示しない通信線を収納する配線収納空間がダクト構造等をなして形成され、この配線空間の上方にあたる天板６の後縁６ａ近傍に、その天板６の厚み方向に貫通する長方形状の開口窓６１を形成している。そして、この開口窓６１に位置付けて、本実施形態のクランプＣを天板６に取り付けるようにしている。
【００１６】
クランプＣは、図２及び図３に示すように、側面視コ字形をなすブラケット１と、このブラケット１に移動可能に取り付けた支柱２と、支柱２の下端部に固定した押さえ板３と、ブラケット１の下端部に着脱可能に取り付けられる補助挟み部材４とを備えている。
【００１７】
ブラケット１は、一枚の板金素材を２カ所で略直角に折り曲げ加工することにより略水平な姿勢で上下に対向する上壁１１及び下壁１２と、これら上壁１１及び下壁１２をつなぐ起立壁１３とを形成したものを主体とするもので、上壁１１と起立壁１３とでなすコーナー部分に両側方からそれぞれ側面視三角形上の補強板１４を溶接してこれら各壁の変形を防止している。また、上壁１１の先端部側にはその厚み方向に貫通する円形状の貫通孔１１ａを形成しており、この貫通孔１１ａと対応する上壁１１の裏面にナット１５を溶接により固定している。また、図示しないが、上壁１１の上面にも前記ナット１５と同様のナットを配置していわゆるダブルナットの構成とすることもできる。
【００１８】
支柱２は、周壁にネジ山を形成したネジ部２１と、平面視円形状をなす円板部２２と、複数の平面的な起立面を有する操作部２３と、上端部２４ａ側の径を下端部２４ｂ側の径よりも太くした軸部２４とを備えており、ネジ部２１の中心を通る鉛直軸に各部の中心軸を一致させて、下方からネジ部２１、円板部２２、操作部２３、軸部２４の順に溶接により一体に固定している。ネジ部２１の高さ寸法はこの支柱２全体の長さの約半分を占めており、この寸法の範囲内で支柱２が上下動作し得るようにしている。さらにネジ部２１の下面中央部には、押さえ板３を取り付けるためのネジ孔２１ａを形成している。また、軸部２４の上端部２４ａの上面には、その上端部２４ａの径よりも一回り大きい径を有する樹脂製円板部材２５を載せた状態でビス２５ａにより取り付けている。
【００１９】
押さえ板３は、略平板状をなす概略長方形状の金属板３１からなるものであって、前端部に丸みを持たせている。また、金属板３１の後縁部に沿った幅方向中央部には後方に突出する突起部３２を設けており、この突起部３２を含む金属板の後端部の一部を下方からプレスすることによって、金属板３１の他の部位における表面よりも一段高い段部３３を形成している。すなわち、この段部３３においては金属板３１の他の部位における裏面の一部が上方に窪んでいることになる。しかして段部３３にはその厚み方向に貫通する貫通孔３４を設けており、この貫通孔３４に下方から挿通したビス３５を、ブラケット１のナット１５に嵌め合わせた支柱２のネジ部２１に設けたネジ孔２１ａに取り付けるようにしている。その際、ネジ部２１とナット１５とのネジ作用によりネジ送りされる支柱１の回転動作に追従して押さえ板３が一緒に回転しないように、前記貫通孔３４には段部３３の厚みよりも若干長い円筒状のカラー３６を挿入しておき、このカラー３６にビス３５を挿通するようにしている。なお、押さえ板３の天板６に対する接触面積は、後述するようにクランプＣにアーム装置５を介してディスプレイＤを取り付けた場合の偏荷重に抗し得る程度の大きさにしている。
【００２０】
補助挟み部材４は、一枚のＴ字形状をなす平板な板金素材を折り曲げ加工したもので、両側方に突出する幅広の部位を前端部側としてその突出する部位を補助挟み部材４の一方の面（ここでは裏面とする）側にそれぞれ略直角に屈曲するとともに更に内側へ略直角に屈曲することで、補助挟み部材４の前端部における両側端部にそれぞれ正面視コ字形をなす突起部４２を形成している。また、補助挟み部材４の後端部には、両側端部を残して前向きに矩形状に切り欠いた切り欠き部４３を形成している。この切り欠き部４３の幅寸法及び奥行き寸法は前記ブラケット１の起立壁１３の幅寸法及び厚み寸法に略対応しており、補助挟み部材４は、ブラケット１の下壁１２に載せた上で切り欠き部４３内に前記起立壁１３を位置付けて補助挟み部材４の後端部により両側方からブラケット１を抱くような姿勢でブラケット１に取り付けられる。そのために、ブラケット１の下壁１２には前方及び上下に開口する凹部１２ａを形成する一方、補助挟み部材４の前記凹部１２ａに対応する位置にビス止め用の孔４４を形成し、凹部１２ａに下方から挿通させたビス４５を前記孔４４に取り付けるようにしている。
【００２１】
アーム装置５は、図１に示すように、基端部をクランプＣに鉛直軸回りに回転可能に結合した第１支持アーム５１と、この第１支持アーム５１の先端部にその基端部を水平軸及び鉛直軸回りに回転可能に結合した第２支持アーム５２とを具備するもので、この第２支持アーム５２の先端部にディスプレイＤの裏面を該第２支持アームと直交する軸回り及び二つの水平軸回りに回転可能に結合できるようにしている。このように、このアーム装置５は６つの軸回りにディスプレイを回転可能に支持し、６自由度を与えてディスプレイＤの姿勢及び位置を自在に変化させ得るものである。なお、アーム装置５をクランプＣに取り付けるに際しては、第１支持アーム５１の基端部に形成した下向きに開口する筒状部５３に支柱２の軸部２４を挿入するようにしている。その際、筒状部５３が支柱１に対して不用意に回転しないようにするための構成として、筒状部５３の径を樹脂製円板部材２５の径に略対応させるようにして、筒状部５３の内壁と円板部材２５との摩擦抵抗を利用するようにしている。また、筒状部５３の下端は円板部２２に載るようにしてアーム装置５の安定性を向上するようにしている。
【００２２】
しかして、このような構成のクランプＣの天板６への取付作業は以下のようにして行う。なお、図４に示すようにこの天板６の裏面６ｂの形状は平面的なものであるとする。まず、ブラケット１の下壁１２を天板６の開口窓６１を通じて天板６の裏面６ｂ側に潜り込ませて、補助挟み部材４をその平らな表面４１を上向きにした姿勢で下壁１２に取り付けておく。その一方、ブラケット１の上壁１１の貫通孔１１ａには支柱２のネジ部２１の下端を位置付けて、そのネジ部２１をナット１５に緩く嵌め合わせて下端部をナット１５の下方に露出させた状態で、押さえ板３を下方から支柱２にビス止めする。なお、前記ビス３５の頭部は、前記段部３３の裏面と天板６の表面６ａとの間に形成される空間内に収容される。そして、レンチ等の締め具を用いて操作部２３を挟んで支柱１を回転させて、押さえ板３が天板６の表面６ａに接するまでネジ作用により支柱１及び押さえ板３を下動させる。更にその状態から操作部２３を操作すると、天板６に接した押さえ板３及び支柱２を足場にしてブラケット１がネジ送りされて上動するので、その後、補助挟み部材４の表面４１が天板６の裏面６ｂに接して押さえ板３と補助挟み部材４とにより天板６を上下に強く挟み込むまで操作を続ける。このようにしてクランプＣを天板６に固定することで、天板６を挟み込む際に押さえ板３が天板６に上方から接する上挟み部として機能し、ブラケット１の下壁１２が補助挟み部４を介して天板６に下方から接する下挟み部として機能することになる。なお、このとき、前述したように上壁１１を挟んで上下に二つのナットを配置したダブルナットの構成としていれば、操作部２３を操作してクランプＣを天板６に固定した後さらに図示を省略した上側のナットをネジ部２１に締め込むことで、ネジ部２１の緩みをより効果的に防止することができ、特にアーム部５を動かした際のネジ部２１の緩み防止効果が極めて大きくなる。しかる後、上述したように支柱２にアーム装置５を取り付け、アーム装置５にディスプレイＤを取り付ければよい。
【００２３】
また、本実施形態では、以下に示すような天板６にも対応して取り付けることができるものである。
【００２４】
例えば、図５（ａ）に示すように、天板６の開口窓６１に沿った裏面６ｂ側の開口前縁部に下向きの突起６２があって、その開口前縁部において前記裏面６ｂが露出するいわゆるオーバーハングがない場合は、前記補助挟み部材４を上記の場合とは天地を逆にして使用すればよい。すなわち、突起部４２を上向きにした姿勢で補助挟み部材４を前記と同様にブラケット１の下壁１２に取り付け、補助挟み部材４の奥行き寸法によって前記突起６２を前方に乗り越えさせて、この姿勢で上方を向いている突起部４２の面を天板６の裏面６ｂに接触させるようにすれば、押さえ板３と突起部４２とによって天板６を挟みつけた状態にクランプＣを天板６に取り付けることができる。なお本実施形態では、補助挟み部材４の突起部４２の高さ寸法を天板６から下方に突出する前記突起６２の高さ寸法に合わせているので、補助挟み部材４は天板６の裏面６ｂと突起６２の下面の二カ所に接触していることになり、その結果、補助挟み部材４を天板６の裏面６ｂ又は突起６２のいずれか一方にだけ接触させた場合よりも安定性が高くなっている。
【００２５】
また、例えば図５（ｂ）に示すように、以下に示すような天板６にも対応して取り付けることができるものである。すなわち、天板６の開口窓６１に沿った裏面６ｂ側の開口前縁部に上述した補助挟み部材４では乗り越えられない程度の大きさで下向きに突出する突起６３があるが、その突起６３に後向きに開口する切り込み６３ａがある場合には、補助挟み部材４を用いずにクランプＣを取り付ければよい。すなわち、ブラケット１の下壁１２を突起６２の切り込み６３ａに挿入して、下壁１２の上面を切り欠き６３ａの下向面に直接接触させることで、押さえ板３と下壁１２とによって天板６を上下に挟み込んだ状態でクランプＣを天板６に取り付けることができるようになる。
【００２６】
以上説明したように、本実施形態のディスプレイ用クランプＣによれば、下挟み部と共に天板６を上下に挟み込むために天板６に対して上下動作する上挟み部たる押さえ板３の動作を惹起して駆動するための操作部２３を天板６よりも上方位置に形成しているため、天板６を挟み込むために力を込めて行う必要がある操作を天板よりも上方の広い空間で行うことができるので、操作性を向上してクランプＣの締め込みを容易に行うことができる。
【００２７】
特に、このクランプＣは、天板を挟んで上下に対向する上壁１１及び下壁１２を有するブラケット１のうち上壁１１にネジ送りされるように支柱２を取り付け、さらにその支柱２に上挟み部として機能する押さえ板３を取り付けて、前記下壁１２が下挟み部として機能するように構成し、さらに操作部２３を支柱２に形成しているので、操作部２３に入力すべき操作力は支柱２を回転させるという単純なもので済み、しかも入力された操作力を直接的に押さえ板３の上下動作に変換することができ、さらには操作部２３における操作も天板６よりも上方位置で確実に行うことができる。また、押さえ板３は支柱２の下端部にビス止めにより固定されてはいるが、ビス３６と押さえ板３との間にはカラー３６を設けることで支柱２を回転させてもその支柱２に対して押さえ板３は空転するようにしているため、押さえ板３が支柱２と共に回転してしまう不具合を有効に防止することができる。
【００２８】
さらに、このクランプＣは、アーム装置５を介してディスプレイＤを移動可能に支持しているので、ディスプレイＤの使用位置や使用姿勢を自在に変更して使用することができる上に、クランプＣを天板６に強固に取り付けているためにディスプレイＤを動かした際にクランプＣにねじれ力が加わっても、ディスプレイＤ及びクランプＣの倒れやクランプＣ及び天板６の破損を有効に防止することもできる。
【００２９】
なお、以上の説明では、天板６に設けた開口窓６１にクランプＣを取り付ける場合について示したが、天板６の縁部（後縁部、側縁部、前縁部等）のいずれの箇所に取り付ける場合でも同様であって、オーバーハングが大きい天板や小さい天板、あるいは突起がある天板など、天板の形状に応じて補助挟み部材４を着脱したりその取付姿勢を変更すればよい。また、補助挟み部材４を用いるか否かは任意であるので、必要なときにのみ使用するようにしても構わない。
【００３０】
さらに、上述した構成のクランプＣの他に、本発明は以下に変形例として説明する図６に概略的に示すようなクランプＣ’のようなものとすることもできる。このクランプＣ’は、前記クランプＣと同様にブラケット１と、支柱１２０と、押さえ板３と、補助挟み部材４とを備えており、支柱１２０以外の部材には前記クランプＣと略同一の部材を使用しているため、説明を省略する。なお、ブラケット１の上壁１１における裏面には、前記ナット１５に替えて中央部にネジ孔を形成したナット板１１５を溶接により固定している。支柱１２０は、上下に貫通する貫通孔１２１ａを設けたネジ部１２１と、前記貫通孔１２１ａに上方からネジ部１２１には接触しないように挿入されネジ部１２１よりも背丈の高い軸部１２２と、ネジ部１２２の上端部に溶接等により固定され軸部１２２を挿通させた操作部１２３とを具備している。ネジ部１２１は、ブラケット１の上壁１１における貫通孔１１ａに挿入した上で周壁に形成したネジ山を前記ナット板１１５にネジ作用で嵌め合わせた状態でブラケット１に取り付けられる。軸部１２２の下面中央部には、押さえ板３を取り付けるためのネジ孔１２２ａを形成している。また、軸部２４の上端部２４ａの上面には、その上端部２４ａの径よりも一回り大きい径を有する樹脂製円板部材２５を載せた状態でビス２５ａにより取り付けている。操作部１２３は、前記クランプＣにおける操作部２３と同様に複数の平面的な起立面を有するものであって、この起立面をレンチ等で挟んで回転させることによってネジ部１２２を前記上壁１１を足場にして上下動作させるようにしている。そして、天板６に取り付けたクランプＣ’において、軸部１２２及びネジ部１２１の上方からアーム装置５を取り付けるようにしている。
【００３１】
このような構成のものであっても、操作部１２３が天板６よりも上方位置に設けられているために操作しやすい。また、ネジ部１２１をナット板１１５にネジ送りされてブラケット１に対して相対的に下動するように操作部１２３を回転操作した場合、軸部１２２はネジ部１２１の回転動作には追従して回転することがなく、ネジ部１２１の下端に押された押さえ板３が天板６の表面６ａに上方から接することになる。さらに、補助挟み部材４が天板６の裏面６ｂに下方から接する構成は前記実施形態のクランプＣと同様である。
【００３２】
また、上挟み部の駆動に際しては、前記実施形態やその変形例のようなネジ作用を利用したものに限られるものではなく、例えば操作桿の上下方向への回転動作に伴って上挟み部が略垂直に上下動するようにしたものや、操作スイッチを押すことによって電気的に上挟み部を駆動するようにしたものなど、種々の適宜の構成を採用することができ、操作部となる操作桿や操作スイッチを天板よりも上方位置に設定しておけばよい。
【００３３】
その他、各部の具体的構成についても上記実施形態に限られるものではなく、本発明の趣旨を逸脱しない範囲で種々変形が可能である。
【００３４】
【発明の効果】
本発明は、以上説明したような形態で実施され、以下に記載されるような効果を奏する。
【００３５】
すなわち、本発明のディスプレイ用クランプは、机等の天板よりも上方位置に形成した操作部の操作を通じて上挟み部をネジ作用により下挟み部との間で相対的に上下方向に駆動することによって、その上挟み部と下挟み部とで天板を上下に挟み込んで天板に取り付けた状態で、ディスプレイを支持するようにしている。このため、天板を上下に挟み込むために必要な操作は天板よりも上方の空間で行うことができるので、従来のクランプのように天板の下方空間に潜り込んだり屈んだりする必要がなく、しかも、通常は天板の上方にはクランプの締め付け操作の障害になるような物はなく、たとえデスクトップパネルなどが天板上に配置されていてもそれを避け取り付け作業をすることは容易であるので、クランプの天板への取付作業を極めて簡便なものとすることができる。
【００３６】
具体的構成として、ディスプレイ用クランプに、天板を挟んで上下に対向する上壁及び下壁を有するブラケットと、その上壁を足場にして上下方向にネジ送りされる支柱と、支柱と共に上下動する押さえ板とを設け、押さえ板及びブラケットの下壁をそれぞれ上挟み部及び下挟み部として機能させるようにすれば、上記の効果を有効に奏し得るディスプレイ用クランプを構成することができる。特にこのような構成の場合、押さえ板を支柱に対して空転するように固定しておけば、ブラケットの上壁を足場にして支柱をネジ送りする際に、押さえ板が支柱と共に回転するのを有効に防止することができ、その結果、操作部には不必要に大きな操作力を入力しなくてもクランプを確実に天板に固定することができる。また、支柱に操作部を形成すれば天板よりも上方位置において押さえ板の駆動のための操作ができる上に、操作部に入力した操作力を効率よく押さえ板の上下動作に変換することもできる。
【００３７】
さらに、以上のようなディスプレイ用クランプが、ディスプレイを移動可能に保持するアーム装置を介してディスプレイを支持するものであれば、ディスプレイの使用位置や使用姿勢を自在に変更して使用できるようになる。
【００３８】
以上の他にも、本発明では上挟み部をネジ作用を利用しない構成により駆動するようにしても、操作部を天板よりも上方位置に設けておけば、上記と同様の効果を得ることが可能である。
【図面の簡単な説明】
【図１】本発明の一実施形態を天板に取り付けた状態の机を示す全体斜視図。
【図２】同実施形態を示す斜視図。
【図３】同分解斜視図。
【図４】同要部縦断面図。
【図５】同実施形態の天板に対する他の取り付け状態を図４に対応して示す縦断面図。
【図６】前記実施形態の一変形例を図４に対応して示す断面図。
【符号の説明】
Ｃ、Ｃ’…クランプ
Ｄ…ディスプレイ
１…ブラケット
２、１２０…支柱
３…押さえ板
５…アーム装置
６…天板
１１…上壁
１２…下壁
２３、１２３…操作部
【図１】
0003741263.tif 000002
【図２】
0003741263.tif 000003
【図３】
0003741263.tif 000004
【図４】
0003741263.tif 000005
【図５】
0003741263.tif 000006
【図６】
0003741263.tif 000007